(57)【要約】【課題】検索キーワードについての新着情報を簡単な操作で取得することができる。【解決手段】検索サーバは、検索キーワードについて、指定された期間の新着情報のみを検索する絞り込み検索を行う機能を備える検索エンジンと、絞り込み検索の検索結果の情報を通信ネットワークを通じてクライアント端末に送信する手段を具備する。クライアント端末は、検索キーワードの登録を受け付ける手段と、絞り込み検索要求をした日時情報を記憶する日時情報記憶手段とを備える。クライアント端末は、ユーザからの検索キーワードについての新着情報の検索要求の指示を受け付けた時に、日時情報記憶手段に記憶された前回の検索日時から今回の検索要求日時までの期間を絞り込み期間として自動的に設定し、指定された検索キーワードについて、絞り込み期間における新着情報の検索の要求を検索サーバに送信し、これに応じて検索サーバから送られてくる新着情報を受信する。【選択図】図１
2015156181.tif 000002
【特許請求の範囲】
【請求項１】
通信ネットワークを通じて接続される検索サーバとクライアント端末とからなる検索システムであって、
前記検索サーバは、
指定された検索キーワードについて、指定された期間において更新された情報である新着情報のみを検索するようにする絞り込み検索を行う機能を備える検索エンジンと、
前記絞り込み検索の検索結果の情報を、前記通信ネットワークを通じて、前記絞り込み検索要求を送ってきた前記クライアント端末に送信する手段と、
を具備し、
前記クライアント端末は、
検索キーワードの登録を受け付ける手段と、
前記絞り込み検索要求をした日時情報を記憶する日時情報記憶手段と、
現在日時の情報を提供する時計回路部と、
ユーザからの、前記登録された検索キーワードについての前記新着情報の検索要求の指示を受け付ける受付手段と、
前記受付手段を通じて前記新着情報の検索要求の指示を受け付けた時に、前記日時情報記憶手段により記憶された前回の検索日時の情報と、前記時計回路部からの現在日時の情報を用いて、前記前回の検索日時から今回の検索要求日時までの期間指定情報を自動的に生成し、前記登録された検索キーワードと、前記期間指定情報とを含む前記絞り込み検索の要求を、前記検索サーバに対して前記通信ネットワークを通じて送信する検索要求手段と、
前記絞り込み検索要求に応じて、前記検索サーバから送られてくる前記新着情報を受信する手段と、
を備えることを特徴とする検索システム。
【請求項２】
前記検索キーワードには、検索するエリアの指定を伴うことを特徴とする
請求項１に記載の検索システム。
【請求項３】
前記検索キーワードは複数個からなり、前記受付手段では、複数個の前記検索キーワードから前記絞り込み検索の要求をする前記検索キーワードの選択を受け付ける
ことを特徴とする請求項１又は請求項２に記載の検索システム。
【請求項４】
前記クライアント端末においては、前記受付手段、前記検索要求手段、前日時情報記憶手段の機能を、前記クライアント端末が具備するブラウザの付加機能として備える
ことを特徴とする請求項１〜請求項３のいずれかに記載の検索システム。
【請求項５】
指定された検索キーワードについて、指定された期間において更新された情報である新着情報のみを検索するようにする絞り込み検索を行う機能を備える検索エンジンと、前記絞り込み検索の検索結果の情報を、前記絞り込み検索の要求を送ってきたクライアント端末に送信する手段とを具備する検索サーバと、通信ネットワークを通じて接続されるクライアント端末であって、
検索キーワードの登録を受け付ける手段と、
前記絞り込み検索要求をした日時情報を記憶する日時情報記憶手段と、
現在日時の情報を提供する時計回路部と、
ユーザからの、前記登録された検索キーワードについての前記新着情報の検索要求の指示を受け付ける受付手段と、
前記受付手段を通じて前記新着情報の検索要求の指示を受け付けた時に、前記日時情報記憶手段により記憶された前回の検索日時の情報と、前記時計回路部からの現在日時の情報を用いて、前記前回の検索日時から今回の検索要求日時までの期間指定情報を自動的に生成し、前記登録された検索キーワードと、前記期間指定情報とを含む前記絞り込み検索の要求を、前記検索サーバに対して前記通信ネットワークを通じて送信する検索要求手段と、
前記絞り込み検索要求に応じて、前記検索サーバから送られてくる前記新着情報を受信する手段と、
を備えることを特徴とするクライアント端末。
【請求項６】
指定された検索キーワードについて、指定された期間において更新された情報である新着情報のみを検索するようにする絞り込み検索を行う機能を備える検索エンジンと、前記絞り込み検索の検索結果の情報を、前記絞り込み検索の要求を送ってきたクライアント端末に送信する手段とを具備する検索サーバと、通信ネットワークを通じて接続されるクライアント端末が備えるコンピュータに、
検索キーワードの登録を受け付ける手段、
前記絞り込み検索要求をした日時情報を記憶する日時情報記憶手段、
ユーザからの、前記登録された検索キーワードについての前記新着情報の検索要求の指示を受け付ける受付手段、
前記受付手段を通じて前記新着情報の検索要求の指示を受け付けた時に、前記日時情報記憶手段により記憶された前回の検索日時の情報と、時計回路部から取得した現在日時の情報を用いて、前記前回の検索日時から今回の検索要求日時までの期間指定情報を自動的に生成し、前記登録された検索キーワードと、前記期間指定情報とを含む前記絞り込み検索の要求を、前記検索サーバに対して前記通信ネットワークを通じて送信する検索要求手段、
前記絞り込み検索要求に応じて、前記検索サーバから送られてくる前記新着情報を受信する手段、
の機能を実行させるための新着情報検索用プログラム。
【発明の詳細な説明】
【技術分野】
【０００１】
この発明は、通信ネットワークを通じて接続される検索サーバとクライアント端末とからなる検索システム、クライアント端末及び新着情報検索用プログラムに関する。
【背景技術】
【０００２】
パソコンやスマートフォンと呼ばれる携帯電話端末などのクライアント端末は、ユーザにより指定入力された検索キーワードを用いて、インターネットを通じて検索サイトの検索サーバに検索要求をして、その検索キーワードに関連する情報の検索結果を、検索サーバから取得し、ユーザに提示する機能を備えているものが殆どである。
【０００３】
この場合に、検索サーバでの検索結果が膨大になることが多々ある。このため、例えば特許文献１（特開２０１３‐１４３０１１号公報）に示されるように、クライアント端末からの絞り込み検索要求に応じて検索結果を絞り込んで提供する機能を有する検索サーバもある。
【０００４】
例えば、クライアント端末において、ウェブブラウザにより表示画面に表示されているヤフー（登録商標）株式会社やグーグル（登録商標）株式会社などの検索サイトのウェブページでは、検索キーワードを指定して検索を実行したときに、さらに指定した期間で更新された情報のみからなる検索結果に絞り込むようにする絞り込みツールが設けられている。なお、この場合の更新された情報には、既存の情報を修正して更新したもののほか、新たに全く新規に追加された情報を含むものである。以下の説明においては、更新された情報を新着情報と称する。
【０００５】
例えば、ヤフー（登録商標）株式会社のホームページで、検索キーワードを指定して検索を実行すると、その検索結果が表示画面に表示されるが、その検索結果のページの先頭部分には、絞り込みツールボタンが表示される。そして、その絞り込みツールボタンを操作すると、図６に示すように、「言語で絞り込む」、「時間で絞り込む」などの絞り込み指定項目が表示画面に表示される。
【０００６】
この絞り込み指定項目のうち、「時間で絞り込む」の項目においては、ユーザは、現時点から遡った所定期間以内を選択指定することで、その選択指定した所定期間以内において更新された情報、すなわち、新着情報のみを要求する絞り込み検索要求ができるほか、或る日時から或る日時までの期間を指定入力して、その指定入力した期間における新着情報のみを要求する絞り込み検索要求をすることができる。
【０００７】
この場合に、指定した期間における新着情報のみを要求する絞り込み検索要求のための操作は、図６において、指定する期間の開始日時の入力欄１０１への開始日時の入力操作と、終了日時の入力欄１０２への終了日時の入力操作と、期間指定の後の絞り込み実行ボタン（ソフトウエアボタン）１０３の操作とされる。
【０００８】
なお、検索サイトの検索サーバに備えられる検索エンジンは、この絞り込みツールで要求された絞り込み検索を実行する機能を備え、クライアント端末からの絞り込み検索要求を受けると、絞り込み期間などの絞り込み条件に応じた絞り込み検索を行い、その検索結果をクライアント端末に返すようにする。
【先行技術文献】
【特許文献】
【０００９】
【特許文献１】特開２０１３‐１４３０１１号公報
【発明の概要】
【発明が解決しようとする課題】
【００１０】
上述した絞り込みツールを用いれば、検索キーワードによる検索結果の内の、例えば指定された期間の新着情報のみを取得することができて、ユーザにとって非常に使い勝手の良い情報を取得することができる。
【００１１】
すなわち、例えば、同じ検索キーワードを用いて、期間を空けて、絞り込みツールを用いて絞り込み期間を指定した検索要求を行うことで、その指定した期間での新着情報のみからなる絞り込み検索結果を得ることができる。したがって、特定の検索キーワードについての指定した期間の新着情報のみを得ることができて、非常に便利である。
【００１２】
しかし、上記絞り込みツールを用いて、そのような検索結果を得ようとする場合には、（１）検索キーワードを、入力して検索を実行し、（２）その検索結果について絞り込みツールボタンを操作し、（３）その後、絞り込み期間の開始日時と終了日時を入力し、（４）絞り込み実行ボタン２０３を操作する、という複数の操作を、新着情報のみを得たい時点で、その都度実行しなければならず、操作が煩雑となる問題がある。
【００１３】
この発明は、以上の問題点に鑑み、検索キーワードについての新着情報を簡単な操作で取得することができるようにすることを目的とする。
【課題を解決するための手段】
【００１４】
上記の課題を解決するために、請求項１の発明は、
通信ネットワークを通じて接続される検索サーバとクライアント端末とからなる検索システムであって、
前記検索サーバは、
指定された検索キーワードについて、指定された期間において更新された情報である新着情報のみを検索するようにする絞り込み検索を行う機能を備える検索エンジンと、
前記絞り込み検索の検索結果の情報を、前記通信ネットワークを通じて、前記絞り込み検索要求を送ってきた前記クライアント端末に送信する手段と、
を具備し、
前記クライアント端末は、
検索キーワードの登録を受け付ける手段と、
前記絞り込み検索要求をした日時情報を記憶する日時情報記憶手段と、
現在日時の情報を提供する時計回路部と、
ユーザからの、前記登録された検索キーワードについての前記新着情報の検索要求の指示を受け付ける受付手段と、
前記受付手段を通じて前記新着情報の検索要求の指示を受け付けた時に、前記日時情報記憶手段により記憶された前回の検索日時の情報と、前記時計回路部からの現在日時の情報を用いて、前記前回の検索日時から今回の検索要求日時までの期間指定情報を自動的に生成し、前記登録された検索キーワードと、前記期間指定情報とを含む前記絞り込み検索の要求を、前記検索サーバに対して前記通信ネットワークを通じて送信する検索要求手段と、
前記絞り込み検索要求に応じて、前記検索サーバから送られてくる前記新着情報を受信する手段と、
を備えることを特徴とする検索システムを提供する。
【００１５】
上述の構成の請求項１の発明の検索システムのクライアント端末においては、予め検索キーワードの登録を受け付ける。また、日時情報記憶手段は、絞り込みの検索の要求がされた最新の日時を、前回の検索日時として記憶している。
【００１６】
そして、受付手段において、ユーザから、新着情報の検索要求の指示を受け付けた時には、検索要求手段は、記憶されている前回の検索日時から現在日時までの期間指定情報を自動的に生成し、登録された検索キーワードと、生成した期間指定情報を含めた絞り込み検索の要求を、検索サーバに対して通信ネットワークを通じて送信する。
【００１７】
検索サーバでは、この絞り込み検索の要求を受けると、検索エンジンを用いて、受信した検索キーワードについて、期間指定情報で指定された期間における新着情報を検索し、その検索結果をクライアント端末に送信する。
【００１８】
したがって、ユーザは、クライアント端末において、登録した検索キーワードについての新着情報の検索要求の実行指示を行うだけで、検索サーバから、登録した検索キーワードについて、前回検索要求した日時から今回の検索要求日時までの間の新着情報のみを取得することができる。
【発明の効果】
【００１９】
この発明によれば、ユーザは、クライアント端末において、登録した検索キーワードについての新着情報の検索要求の実行指示を行うという簡単な操作をするだけで、登録した検索キーワードについて、前回検索要求した日時から今回の検索要求日時までの間の新着情報を取得することができるという効果を奏する。
【図面の簡単な説明】
【００２０】
【図１】この発明による検索システムの実施形態の構成の概要を説明するためのブロック図である。
【図２】この発明による検索システムの実施形態を構成するクライアント端末の一例としてのパソコンのハードウエア構成例を示すブロック図である。
【図３】図２の一部のブロックの構成を説明するための図である。
【図４】この発明による検索システムの実施形態の要部を説明するために用いる図である。
【図５】この発明による検索システムの実施形態を構成するクライアント端末における処理動作例を説明するためのフローチャートの一部を示す図である。
【図６】この発明による検索システムの実施形態を構成するクライアント端末における処理動作例を説明するためのフローチャートの一部を示す図である。
【図７】絞り込み検索要求のための操作例を説明するための図である。
【発明を実施するための形態】
【００２１】
図１は、この発明による検索システムの実施形態の概要を示す図である。この図１に示すように、この例の検索システムにおいては、検索サーバ（Ｗｅｂサイト）１と、クライアント端末、例えばパソコン２や携帯電話端末３などとが通信ネットワーク（インターネットを含む）４を通じて接続されて構成されている。
【００２２】
検索サーバ１は、パソコン２や携帯電話端末３などのクライアント端末からの検索キーワードを伴う検索要求を受けて、当該検索キーワードに関連する情報の検索を行う検索エンジン１１を備えている。この実施形態では、この検索エンジン１１は、絞り込み検索ツールに対応して絞り込み検索を行う機能を備えている。
【００２３】
パソコン２は、クライアント端末の一例を構成するもので、パソコン本体２１と、表示装置２２と、操作入力手段としてのマウス２３及びキーボード２４とを備える。携帯電話端末３も、クライアント端末の一例を構成するもので、この例では、いわゆるスマートフォンと呼ばれる端末の例であり、例えばＬＣＤ（Liquid  Crystal  Display）からなる表示画面３１には、操作入力手段としてのタッチパネル３２が貼り付けられて設けられている。
【００２４】
パソコン２や携帯電話端末３は、検索サーバ１にネットワーク４を通じてアクセスして、当該検索サーバを備えるＷｅｂサイトのホームページを通じて、検索サービスの要求をすることにより、その検索要求に応じた検索結果の情報の提供を受け、受け取った検索結果を表示装置２２の表示画面や表示画面３１に表示するように構成される。
【００２５】
［クライアント端末の実施形態のハードウエア構成例］
次に、パソコン２の場合を例にとって、クライアント端末の実施形態の構成について説明する。図２は、この実施形態のパソコン２の構成を示すブロック図である。この例では、パソコン２は、バス２００に対して制御部２０１、メモリ部２０２、表示制御部２０３、ディスプレイ２２、ポインティングデバイスインターフェース２０４、キーボードインターフェース２０５、通信インターフェース２０６、受信信号処理部２０７、送信信号生成部２０８、新着情報検索用情報保持部２０９、新着情報検索用情報生成部２１０、時計回路部２１１、が接続されて構成されている。
【００２６】
制御部２０１は、このパソコン２の全体の動作を制御するものである。メモリ部２０２には、パソコン２における各種制御処理を実行するためのプログラムが記憶されており、制御部２０１は、このメモリ部２０２のプログラムにしたがった制御処理を実行する。
【００２７】
表示制御部２０３は、ディスプレイ２２に接続され、このディスプレイ２２の表示画面に表示する表示画像を生成して、表示制御を行う。
【００２８】
ポインティングデバイスインターフェース２０４には、ポインティングディバイス、この例では、マウス２３が接続されている。ポインティングデバイスインターフェース２０４は、このマウス２３によるカーソルの移動操作、クリック操作、ドラッグ操作などの操作情報をバス２００を通じて制御部２０１に伝達する。制御部２０１は、受け取った操作情報に応じた処理を、メモリ部２０２のプログラムを用いて実行する。この例では、ポインティングデバイスインターフェース２０４及びこれに接続されているマウス２３は、後述するように、新着情報の検索要求の実行指示の受付手段を構成する。
【００２９】
キーボードインターフェース部２０５には、キーボード２４が接続されており、ユーザによりキー入力操作が行われたとき、キーボードインターフェース部２０５は、その操作情報をバス２００を通じて制御部２０１に伝達する。制御部２０１は、受け取った操作情報に応じて、入力された文字列を表示画面に表示するなどの処理を、メモリ部２０２のプログラムを用いて実行する。キーボード２４は、ユーザにより検索キーワードの入力などに用いられる。
【００３０】
通信インターフェース２０６は、通信ネットワーク４を通じて検索サーバ１などにアクセスするためのインターフェースである。受信信号処理部２０７は、制御部２０１の制御の下、通信インターフェース２０６を通じて受信した受信信号を解析して表示制御部２０３に供給したり、その他の処理部に供給したりする機能処理部である。
【００３１】
送信信号生成部２０８は、制御部２０１の制御の下、通信インターフェース２０６を通じて送信する送信信号を生成する機能処理部である。
【００３２】
新着情報検索用情報保持部２０９と、新着情報検索用情報生成部２１０とは、この実施形態においては、パソコン２が検索サーバ１に通信ネットワーク４を通じて接続して、検索サーバ１に対して新着情報検索のサービスを要求したときに検索サーバ１から送られてくる支援プログラムにより実行される機能手段である。したがって、実際上は、メモリ部２０２に記憶されるプログラムの一部とされるものであるが、図２では、説明の便宜上、機能ブロックとして示したものである。
【００３３】
新着情報検索用情報保持部２０９は、検索サーバ１に新着情報の検索要求を送る際に必要となる情報を記憶保持する記憶部（図示せず）を備える。この新着情報検索用情報保持部２０９の記憶部はメモリ部２０２の一部の記憶エリアであってもよい。この例では、新着情報検索用情報保持部２０９の記憶部には、図３に示すように、検索キーワードと、前回の新着情報検索要求の実行日時（最新の新着情報検索要求の実行日時）の情報とが互いに対応付けられて記憶保持される。
【００３４】
検索キーワードは、この実施形態では、図３に示すように、検索する地域範囲を指定するエリアの情報と、関連する情報を検索する基となるキーワードとからなるものとされている。
【００３５】
すなわち、この実施形態では、検索キーワードは、エリア情報とキーワードの組み合わせとしてユーザにより指定されるもので、例えば「さいたま市  蕎麦」、「新橋  蕎麦」、「千葉県  桜開花情報」などのように指定されたものが登録されて、新着情報検索用情報保持部２０９に保持される。
【００３６】
新着情報検索用情報保持部２０９は、ユーザによる新着情報検索用の検索キーワードの登録要求を受けて、記憶部にその検索キーワードを記憶保持する。図３に示したように、検索キーワードは、複数個が登録可能である。なお、検索キーワードは、この例のようにパソコン２の新着情報検索用情報保持部２０９が備える記憶部に記憶保持しておくことは必須ではなく、例えば通信ネットワークを通じてアクセスをすることが可能な、いわゆるクラウドの記憶装置に記憶しておき、適宜、通信ネットワークを通じてアクセスして読み出すようにすることもできる。
【００３７】
登録された検索キーワードによる新着情報の検索要求が実行されると、新着情報検索用情報保持部２０９は、図３に示すように、その検索実行日時の情報を、検索を行った検索キーワードと対応付けて記憶部に記憶する。この場合に、図３の例では、当該最新の新着情報検索要求の実行日時のみを、前回の新着情報検索要求の実行日時として記憶する。しかし、新着情報検索要求の実行日時を過去分も含めて履歴として保持するようにしても勿論よい。その場合にも、最新の新着情報検索要求の実行日時が、前回の新着情報検索要求の実行日時（以下、前回検索日時という）となる。なお、これらの情報も、パソコン２の新着情報検索用情報保持部２０９が備える記憶部に記憶しておくのではなく、例えばクラウドの記憶装置に記憶しておき、適宜、通信ネットワークを通じてアクセスして読み出すことができるようにしてもよい。
【００３８】
新着情報検索用情報生成部２１０は、後述するように、新着情報検索用情報保持部２０９に記憶されている検索キーワード及び前回検索日時の情報と、時計回路部２１１からの現在日時の情報を用いて、新着情報検索用情報を生成する。
【００３９】
具体的には、新着情報検索用情報生成部２１０は、後述するように、新着情報検索用情報保持部２０９に記憶されている複数の検索キーワードの中から、ユーザにより選択指定された検索キーワードを、新着情報検索用情報の検索キーワードとして選定する。そして、新着情報検索用情報生成部２１０は、その選定された検索キーワードに対応付けられて新着情報検索用情報保持部２０９に記憶保持されている前回検索日時の情報を、絞り込み検索の指定期間の開始日時の情報とし、また、時計回路部２１１からの現在日時の情報を絞り込み検索の指定期間の開始日時の情報として、絞り込み検索の期間指定情報を自動生成する。そして、新着情報検索用情報生成部２１０は、選定された検索キーワードと期間指定情報とを含む新着情報検索要求情報を生成する。
【００４０】
制御部２０１は、ユーザによる新着情報の検索要求の送信指示があったときに、この新着情報検索用情報生成部２１０で生成された新着情報検索要求情報を検索サーバ１に対して、送信信号生成部２０８及び通信インターフェース２０６を通じて送信する。
【００４１】
時計回路部２１１は、年月日のカレンダー情報を含む時計情報、すなわち、日時情報を出力する。
【００４２】
なお、図２のパソコン２の構成において、新着情報検索用情報保持部２０９、新着情報検索用情報生成部２１０のそれぞれの処理機能のみではなく、表示制御部２０３、受信信号処理部２０７、送信信号生成部２０８の処理機能も、制御部２０１が、メモリ部２０２のプログラムにしたがって実行するソフトウエア機能として構成することができるものである。
【００４３】
［実施形態における新着情報検索の処理動作の概要］
次に、この実施形態の検索システムにおけるクライアント端末の例としてのパソコン２における新着情報検索の処理動作の概要について説明する。
【００４４】
新着情報検索サービスは、検索サーバ１との連携により享受することができるものである。そのため、ユーザは、まず、パソコン２を用いて通信ネットワーク４を通じて検索サーバ１にアクセスし、新着情報検索サービスの提供を要求する。この要求に対して、検索サーバ１からは、新着情報検索サービスの支援プログラムが送られてくるので、パソコン２では、この支援プログラムをインストールする。
【００４５】
この支援プログラムがインストールされると、以下に説明するような新着情報検索機能が、この実施形態では、パソコン２にインストールされているウェブブラウザの付加機能としてプラグインされる。図４（Ａ）は、パソコン２のディスプレイ２２の表示画面２２Ｄに表示される、上記ウェブブラウザが起動された時の初期画面の例を示すもので、付加機能の新着情報検索機能は、「新着情報」の文字が表示されたソフトウエアボタンＢＴに関連付けられている。
【００４６】
ユーザが、この図４（Ａ）のウェブブラウザの画面において、「新着情報」のソフトウエアボタンＢＴをクリック等の操作をすると、新着情報検索サービスの支援プログラムが起動されて、表示画面２２Ｄには、図４（Ｂ）に示すように、新着情報検索サービスの操作画面が表示される。
【００４７】
この新着情報検索サービスの操作画面には、新着情報検索用情報保持部２０９に保持されている登録済みの検索キーワードの一覧２２１と、検索実行指示を受け付けるためのソフトウエアボタン（以下、検索ボタンという）２２２と、絞り込み期間の開始日時表示欄２２３及び絞り込み期間の終了日時表示欄２２４と、新規の検索キーワードの登録の受け付け用のソフトウエアボタン（以下、検索キーワード登録ボタンという）２２５とが表示される。
【００４８】
この図４（Ｂ）の新着情報検索サービスの操作画面において、ユーザが検索キーワード登録ボタン２２５をクリックすると、図示は省略するが、新規の検索キーワードの登録の受け付け用の画面に切り替わり、ユーザによる新規の検索キーワードの登録を受け付けて、新着情報検索用情報保持部２０９に格納するようにする。この実施形態では、登録した新規の検索キーワードでの初回の検索においては、期間の指定無しで、新規に登録された検索キーワードを含む検索要求が検索サーバ１に送られる。そして、当該検索が実行された日時が、新規に登録された検索キーワードに対応付けられて、新着情報検索用情報保持部２０９に記憶保持される。
【００４９】
なお、新規に登録した検索キーワードでの初回の検索は、絞り込み期間の指定無しとするのではなく、例えば当該検索の現在日時から所定期間前、例えば１年前までの絞り込み期間を自動的に指定して新着情報の検索要求をするようにしてもよい。
【００５０】
この図４（Ｂ）の新着情報検索サービスの操作画面において、登録されている検索キーワードを用いて、前回の検索日時から現在日時までの新着情報の検索を行うときには、ユーザは、検索キーワードの一覧２２１から、新着情報検索をしようとする検索キーワードを選択指定した後、検索ボタン２２２をクリックして、新着情報検索の実行指示をする。
【００５１】
すると、新着情報検索用情報生成部２１０は、ユーザによる検索キーワードの選択指定を受けて、その選択指定された検索キーワードに対応付けられて記憶されている前回検索日時の情報を、絞り込み期間の開始日時として、その表示欄２２３に表示すると共に、現在日時の情報を時計回路部２１１から取得して、絞り込み期間の終了日時として、その表示欄２２４に表示する。すなわち、新着情報検索用情報生成部２１０は、ユーザによる検索キーワードの選択指定を受けて、絞り込み期間の期間指定情報を自動的に生成する。
【００５２】
そして、新着情報検索用情報生成部２１０は、ユーザによる検索ボタン２２２のクリック操作を受けて、選択指定された検索キーワードと、自動生成された絞り込み期間の期間指定情報とを含めた新着情報検索要求情報（絞り込み検索要求情報）を生成し、その生成した新着情報検索要求情報を、送信信号生成部２０８及び通信インターフェース２０６を通じ、通信ネットワーク４を通じて検索サーバ１に送信するようにする。
【００５３】
検索サーバ１は、この新着情報検索要求情報を受け取ると、検索エンジン１１の絞り込み検索機能により、新着情報検索要求情報に含まれる検索キーワードで指定されたエリア内においてキーワードに関連する情報であって、新着情報検索要求情報に含まれる指定期間情報で指定される期間に更新された情報、すなわち、新着情報のみを検索結果として得て、検索要求してきたパソコン２に通信ネットワーク４を通じて送る。パソコン２は、この検索結果を受信して、表示画面２２Ｄに表示するようにする。
【００５４】
［パソコン２における新着情報検索要求の処理動作例］
次に、以上説明したような新着情報検索要求を実行する際のパソコン２の処理動作の流れを、図５及び図６のフローチャートを参照して説明する。以下に説明する各ステップの処理は、制御部２０１が、検索サーバ１から取得した新着情報検索のための支援プログラムにしたがって実行することにより行われる。すなわち、以下のフローチャートの処理例は、制御部２０１が、表示制御部２０４、受信信号処理部２０７、送信信号生成部２０８および新着情報検索用情報保持部２０９、新着情報検索用情報生成部２１０、の処理機能をソフトウエア機能として実行するようにした場合である。
【００５５】
前述の図４に示したように、ウェブブラウザにおいて、ソフトウエアボタンＢＴがクリックされると、制御部２０１は、新着情報検索サービスの支援プログラムを起動して、図５のスタートからの処理を開始する。
【００５６】
制御部２０１は、まず、図４（Ｂ）に示した新着情報検索サービスの操作用画面を表示画面２２Ｄに表示する（ステップＳ１０１）。そして、制御部２０１は、新着情報検索サービスの操作用画面における検索キーワードの一覧２２１において選択中の検索キーワードについての前回検索日時の情報を新着情報検索用情報保持部２０９から取得して、表示欄２２３に表示すると共に、時計回路部２１１から現在日時の情報を取得して、表示欄２２４に表示する（ステップＳ１０２）。
【００５７】
次に、制御部２０１は、検索キーワード登録ボタン２２５がクリックされたか否かを監視することで、ユーザにより新規の検索キーワードの登録が選択されたか否か判別する（ステップＳ１０３）。このステップＳ１０２で、新規の検索キーワードの登録が選択されたと判別したときには、制御部２０１は、表示画面２２Ｄに、検索するエリアとキーワードの入力を促すメッセージを含む検索キーワードの受付画面を表示する（ステップＳ１０４）。
【００５８】
そして、制御部２０１は、ユーザによる検索キーワードの入力の受け付けを監視して、その受け付けが完了したか否か判別する（ステップＳ１０５）。なお、検索キーワードについて、検索するエリアの入力は必須ではなく、キーワードのみの入力であってもよい。
【００５９】
このステップＳ１０５で、検索キーワードの入力の受け付けが完了したと判別したときには、制御部２０１は、受け付けた検索キーワードを、新着情報検索用情報保持部２０９に記憶保持する（ステップＳ１０６）。次に、制御部２０１は、検索ボタン２２２がクリックされたか否かを監視することで、ユーザにより検索実行指示がなされたか否か判別する（ステップＳ１０７）。
【００６０】
このステップＳ１０７で、検索実行指示がなされたと判別したときには、制御部２０１は、新規に登録を受け付けた検索キーワードを含めた検索要求を検索サーバ１に送ると共に、現在日時の情報を、前回検索日時の情報として、検索要求に含めた検索キーワードに対応付けて、新着情報検索用情報保持部２０９に格納する（ステップＳ１０８）。
【００６１】
次に、制御部２０１は、ステップＳ１０８での検索要求に対して検索サーバ１から送られてくる検索結果を受信して、表示画面２２Ｄに表示する（ステップＳ１０９）。そして、制御部２０１は、ユーザからの終了指示を受け付けたか否か判別し（図６のステップＳ１２８）、終了指示を受け付けてはいないと判別したときには、処理をステップＳ１０３に戻し、終了指示を受け付けたと判別したときには、この処理ルーチンを終了する。
【００６２】
また、ステップＳ１０７で、ユーザにより検索実行指示がなされてはいないと判別したときにも、制御部２０１は、処理をステップＳ１２８に進め、このステップＳ１２８で、終了指示を受け付けてはいないと判別したときには、処理をステップＳ１０３に戻し、終了指示を受け付けたと判別したときには、この処理ルーチンを終了する。
【００６３】
また、ステップＳ１０３で、新規の検索キーワードの登録は選択されてはいないと判別したときには、制御部２０１は、検索キーワードの一覧２２１における選択中の検索キーワードが変更されたか否か判別する（図６のステップＳ１２１）。ステップＳ１２１で、選択中の検索キーワードが変更されてはいないと判別したときには、制御部２０１は、処理をステップＳ１２８に進め、このステップＳ１２８以降の処理を実行する。
【００６４】
また、ステップＳ１２１で、選択中の検索キーワードが変更されたと判別したときには、選択中の検索キーワードについては、前回検索日時が格納されているか否か判別する（ステップＳ１２２）。このステップＳ１２２で、選択中の検索キーワードについては、前回検索日時が格納されていないと判別したときには、制御部２０１は、処理をステップＳ１０８に進め、このステップＳ１０８以降の処理を実行する。
【００６５】
ステップＳ１２２で、選択中の検索キーワードについて、前回検索日時が格納されていると判別したときには、制御部２０１は、選択中の検索キーワードについての前回検索日時の情報を新着情報検索用情報保持部２０９から取得して、表示欄２２３に表示すると共に、時計回路部２１１から現在日時の情報を取得して、表示欄２２４に表示する（ステップＳ１２３）。
【００６６】
次に、制御部２０１は、ユーザにより検索ボタン２２２がクリックされたか否かを監視することにより、検索実行指示がなされたか否か判別する（ステップＳ１２４）。このステップＳ１２４で、検索実行指示がなされてはいないと判別したときには、制御部２０１は、処理をステップＳ１２８に進め、このステップＳ１２８で、終了指示を受け付けてはいないと判別したときには、処理をステップＳ１０３に戻し、終了指示を受け付けたと判別したときには、この処理ルーチンを終了する。
【００６７】
また、ステップＳ１２４で、検索実行指示がなされたと判別したときには、制御部２０１は、選択中の検索キーワードと、ステップＳ１２３で取得した前回検索日時と現在日時とから自動生成した、当該前回検索日時から現在日時までの絞り込み期間の期間指定情報とを含む新着情報検索要求を生成し、検索サーバ１に送信する（ステップＳ１２５）。
【００６８】
次に、制御部２０１は、新着情報検索要求に対して検索サーバ１から送られてくる検索結果の新着情報を受信し、表示画面２２Ｄに表示する（ステップＳ１２６）。そして、制御部２０１は、新着情報検索要求した検索キーワードに対応付けられて記憶されている前回検索日時の情報を、今回の新着情報検索要求の実行日時に更新する（ステップＳ１２７）。その後、制御部２０１は、処理をステップＳ１２８に進め、このステップＳ１２８で、終了指示を受け付けてはいないと判別したときには、処理をステップＳ１０３に戻し、終了指示を受け付けたと判別したときには、この処理ルーチンを終了する。
【００６９】
以上のようにして、この実施形態においては、ユーザは、新着情報検索のためのソフトウエアボタンＢＴを操作し、検索キーワードを選択して、検索を実行するようにするだけの簡単な操作により、前回検索日時から現在日時までの間に更新された検索キーワードに関連する新着情報のみを取得することができる。
【００７０】
すなわち、上述の実施形態によれば、ユーザは、検索キーワードを登録しておくことで、都度、入力する必要はなく、また、絞り込み期間は、前回検索日時から現在日時までの期間として自動的に設定されるので、新着情報検索要求のためのユーザの操作は非常に簡単になる。
【００７１】
そして、上述の実施形態では検索キーワードには、エリアを指定する情報を含むようにしたので、その指定されたエリアに絞って検索された新着情報のみを取得することができる。
【００７２】
［その他の実施形態又は変形例］
上述の実施形態では、新着情報検索のためのソフトウエアボタンＢＴに対して複数個の検索キーワードを対応付けるようにしたが、検索キーワードの一つ一つについて、ソフトウエアボタンＢＴを設けるようにしてもよい。その場合には、ユーザの操作としては、検索キーワードを選択する操作は不要となり、ソフトウエアボタンＢＴを操作するだけ、あるいは、ソフトウエアボタンＢＴを操作すると共に、検索実行指示をするようにだけで、ソフトウエアボタンＢＴに対応付けられて登録されている検索キーワードについての新着情報を取得することができる。
【００７３】
なお、上述の実施形態では、新着情報検索要求の支援プログラムを、ウェブブラウザにプラグインして、ウェブブラウザの画面にソフトウエアボタンＢＴを設けるようにしたが、新着情報検索要求の支援プログラムを、専用のアプリケーションプログラムとして、パソコンなどのクライアント端末にインストールするようにしてもよい。
【００７４】
例えばクライアント端末がスマートフォンの場合には、専用アプリケーションプログラムとしてインストールし、メニュー画面に、対応する新着情報検索アイコンを表示するようにすることができる。その場合にも、新着情報検索アイコンには、複数個の検索キーワードを対応付けてもよいし、一つ一つの検索キーワードについて新着情報検索アイコンを別々に設けるようにしてもよい。一つ一つの検索キーワードについて新着情報検索アイコンを別々に設ける場合には、当該新着情報検索アイコンに対応付けて検索キーワードを表示するようにしておくとよい。その場合、ユーザは、新着情報検索アイコンをタッチ操作するだけで、対応する検索キーワードについての前回検索日時から現在日時までの新着情報を取得することができるようになる。
【００７５】
また、上述の実施形態では、ソフトウエアボタンＢＴに対して複数個の検索キーワードを対応付けるようにし、その複数個の検索キーワードから選択した一つの検索キーワードについての新着情報の検索を行うようにした。しかし、複数個の検索キーワードの中の一つの検索キーワードを選択するのではなく、ソフトウエアボタンＢＴに対応付けられている複数個の検索キーワードの全てについて新着情報の検索を行うようにしてもよい。その場合には、クライアント端末からの絞り込み検索要求（新着情報検索要求）は、複数個の検索キーワードの一つ一つについて、順次に検索サーバ１に送るようにしてもよいし、複数個の検索キーワードの全てを含めた絞り込み検索要求を、検索サーバ１に送るようにしてもよい。
【００７６】
なお、上述の実施形態では検索キーワードには、エリアの指定を含ませるようにしたが、検索キーワードとしては、エリアの指定を含まないキーワードのみからなるものであっても勿論よい。
【００７７】
また、この発明の検索システムの検索サーバは、ヤフー（登録商標）株式会社やグーグル（登録商標）株式会社の検索サイトの検索サーバに限られるものではないことは言うまでもなく、絞り込み検索機能を有するものであれば、どのような装置であってもよい。
【００７８】
なお、上述の実施形態では、クライアント端末は、パソコンとスマートフォンと呼ばれる携帯電話端末を例に挙げたが、これに限られるものではなく、検索サーバ１に通信ネットワーク４を通じて接続して検索要求することができて、表示画面を備えるものであれば、どのような電子機器であってもよい。
【００７９】
また、上述もしたが、クライアント端末で登録の入力を受け付けた検索キーワードの保存場所（登録場所）や検索実行日時の情報は、クライアント端末が備える記憶部である必要はなく、例えばクラウドの記憶装置であってもよい。
【符号の説明】
【００８０】
１…検索サーバ、２…パソコン、３…携帯電話端末（スマートフォン）、４…通信ネットワーク、１１…検索エンジン、２２…ディスプレイ、２２Ｄ…表示画面、２０６…通信インターフェース、２０９…新着情報検索用情報保持部、２１０…新着情報検索用情報生成部、２１１…時計回路部
【図１】
2015156181.tif 000003
【図２】
2015156181.tif 000004
【図３】
2015156181.tif 000005
【図４】
2015156181.tif 000006
【図５】
2015156181.tif 000007
【図６】
2015156181.tif 000008
【図７】
2015156181.tif 000009